(57)【特許請求の範囲】
【請求項１】
開口部が形成されたカウンターの裏面に、開口部と一致させてシンクが固着されて形成されるキッチンカウンターにおいて、カウンターの裏面に開口部の外周縁に沿って凹部が形成され、この凹部内に加熱分離プライマーが、前記凹部の外端よりやや内側にとどめて塗布され、シンク上端に設けられたフランジを加熱分離プライマーに重合させて反応硬化型接着剤により、この反応硬化型接着剤の一部が前記凹部内に浸入して、シンクがカウンターに接着されていることを特徴とするキッチンカウンター。
【請求項２】
加熱分離プライマーが、弾性系樹脂接着剤中に熱膨張性マイクロバルーンを分散させたものである請求項１記載のキッチンカウンター。
【請求項３】
カウンターの裏面において開口部に近接する左右に木質補強材が配設され、シンクのフランジをその木質補強材に連結するシンク固定金具が取り外し自在に取り付けられている請求項１または２記載のキッチンカウンター。
【発明の詳細な説明】
【技術分野】
【０００１】
本願発明は、開口部が形成されたカウンターの裏面に、開口部と一致させてシンクが固着されて形成されるキッチンカウンターに関する。
【背景技術】
【０００２】
厨房装置の天板を形成するカウンターには、人造大理石などの樹脂から形成されたものが広く用いられている。カウンターにはシンクを取り付ける部位に開口部が形成され、ステンレス製のシンクが、カウンターの裏面に開口部と一致するように固着されてキッチンカウンターが作製される。具体的には、カウンターの裏面において開口部の外周に、シンク上端に設けられたフランジを配置し、接着剤によりシンクをカウンターに取り付けている。接着剤には、一般に、硬度の高いウレタン系接着剤などの反応硬化型接着剤が用いられ、カウンターとシンクとは強固に接着されている。
【０００３】
近年、環境問題の高まりや省資源化への要請、そして、資源有効利用促進法の制定により、キッチンカウンターについてもリサイクルによる資源の有効利用が求められている。廃棄時に異種材料から形成されているカウンターとシンクとを分離し、解体することが必要となっている。しかしながら、これまでのキッチンカウンターは、上記の通り、カウンターとシンクとが強固に接着されているため、分離解体することが非常に難しい。
【０００４】
そこで、たとえば、熱により発泡する熱発泡材料を接着剤中に混入し、加熱によりカウンターとシンクとを分離することが考えられている。だが、反応硬化型接着剤は硬度が高いため、接着剤を発泡させるためには多量の熱発泡材料を接着剤に混入する必要があるという問題がある。しかも、多量の熱発泡材料の混入により、接着剤の凝集力が低下し、十分な接着性が得られず、通常の使用環境においてシンクが外れてしまう可能性がある。
【０００５】
加熱分離を容易とするためには、接着剤そのものを、たとえば変性シリコーン樹脂のような弾性系樹脂接着剤に変更し、そして、熱発泡材料を接着剤に混入することが考えられるが（特許文献１）、この場合も、接着剤の凝集力が小さくなり、通常の使用環境下でシンクが外れてしまう可能性を否定できない。
【０００６】
しかも、特許文献１に記載されたキッチンカウンターでは、使用時の水の浸入による漏水などを防ぎ、シール性を付与するために、カウンターの裏面とシンクのフランジとの間にシール材を介設している。このため、キッチンカウンターの作製は、シール材の配設および接着剤の塗工の２工程を要しており、工程の簡略化が望まれる。
【特許文献１】特開２００３−６１７７１号公報
【発明の開示】
【発明が解決しようとする課題】
【０００７】
本願発明は、このような事情に鑑みてなされたものであり、通常の使用環境において十分な接着性が得られながらも、加熱によってカウンターとシンクとを容易に分離することができ、かつシール性の付与と分離解体の実現とを一工程で可能とするキッチンカウンターを提供することを課題としている。
【課題を解決するための手段】
【０００８】
本願発明は、上記の課題を解決するために、第１に、開口部が形成されたカウンターの裏面に、開口部と一致させてシンクが固着されて形成されるキッチンカウンターにおいて、カウンターの裏面に開口部の外周縁に沿って凹部が形成され、この凹部内に加熱分離プライマーが、前記凹部の外端よりやや内側にとどめて塗布され、シンク上端に設けられたフランジを加熱分離プライマーに重合させて反応硬化型接着剤により、この反応硬化型接着剤の一部が前記凹部内に浸入して、シンクがカウンターに接着されていることを特徴としている。
【０００９】
本願発明は、第２に、加熱分離プライマーが、弾性系樹脂接着剤中に熱膨張性マイクロバルーンを分散させたものであることを特徴としている。
【００１０】
本願発明は、第３に、カウンターの裏面において開口部に近接する左右に木質補強材が配設され、シンクのフランジをその木質補強材に連結するシンク固定金具が取り外し自在に取り付けられていることを特徴としている。
【発明の効果】
【００１１】
本願の第１の発明によれば、カウンターとシンクとは反応硬化型接着剤により接着されるので、通常の使用環境において十分な接着性が得られ、シンクが外れるおそれはない。また、カウンターの裏面とシンク上端のフランジとの間に加熱分離プライマーが介在するので、廃棄時にキッチンカウンターを加熱することにより加熱分離プライマーの体積が膨張し、カウンターとシンクとに分離解体することができる。さらに、加熱分離プライマーは、カウンターの裏面に開口部の外周縁に沿って形成された凹部内に塗布されるので、シンク上端のフランジを重合させることにより、加熱分離プライマーは潰れ、凹部内にとどまり、隙間が形成することなくフランジは加熱分離プライマーに密着する。このため、シール材を別途設けなくとも十分なシール性が得られる。使用時に水の浸入は起こらず、漏水が防止される。ゴミなどが溜まりにくくもなる。
【００１２】
さらにまた、凹部内への加熱分離プライマーの塗布および加熱分離プライマーへのフランジの重合によって、シール性の付与と分離解体の実現とが一工程で可能となる。キッチンカウンターの作製工程が簡略化される。そして、加熱分離プライマーは凹部内に塗布されるので、シンクを取り付ける際に、加熱分離プライマーがカウンターに形成された開口部側にはみ出ることはなく、良好な外観が得られる。
【００１３】
本願の第２の発明によれば、弾性系樹脂接着剤を用いることにより、カウンターとシンクとの接着部のシール性と接着耐久性が良好となり、キッチンカウンターの廃棄時には加熱によって柔軟性を確保することができる。このような弾性系樹脂接着剤に熱膨張性マイクロバルーンが添加され、分散した加熱分離プライマーは、熱膨張性マイクロバルーンの膨張温度に加熱することによって体積が大きく膨張し、カウンターとシンクとの加熱分離を確実にする。
【００１４】
本願の第３の発明によれば、シンク固定金具によってシンクの取付強度が高まり、しかも、シンク固定金具は取り外し自在であるため、カウンターとシンクとの分離を阻害しない。
【発明を実施するための最良の形態】
【００１５】
図１は、本願発明のキッチンカウンターの一実施形態を示した要部平面図である。図２は、図１図中のＡ−Ａ断面図であり、図３は、Ｂ−Ｂ断面図である。
【００１６】
キッチンカウンターは、人造大理石製のカウンター１と、カウンター１に形成された開口部２に一致させてカウンター１の裏面に固着されたステンレス製のシンク３とから形成されている。カウンター１の前縁は垂下し、前垂れ部４が形成され、後端は立ち上がり、バックガード５が形成されている。カウンター１の裏面には前後両端部に木質補強材６が配設されている。前端部の木質補強材６はカウンター１の前垂れ部４に沿って内側に配置され、後端部の木質補強材６はバックガード５に沿って配置されている。これらの木質補強材６は、接着剤によりカウンター１の裏面に取り付けられている。カウンター１の裏面には、また、開口部２の左右両側に開口部２に近接して木質補強材７が配設されている。木質補強材７は、木質補強材６とともに、カウンター１の裏面において開口部２の外周を四角く取り囲んでいる。木質補強材７もカウンター１の裏面に接着剤により取り付けられている。このような木質補強材６、７の配設によってカウンター１は補強されている。
【００１７】
シンク３は、上端に、外側にのびるフランジ８を有し、フランジ８は、木質補強材６、７によって囲まれた区画の内側に配置されている。
【００１８】
そして、図２および図３に示したように、カウンター１の裏面に開口部２の外周縁に沿って凹部９が形成されている。凹部９の深さはカウンター１の厚さによって適宜変えることができ、たとえば２ｍｍ程度とすることができる。この凹部９に加熱分離プライマー１０が塗布されている。シンク３の上端のフランジ８が加熱分離プライマー１０に重合している。シンク３は、フランジ８が加熱分離プライマー１０に重合した状態において、壁部３ａと木質補強材６、７の内側の端面との間に注入される反応硬化型接着剤１１によってカウンター１の裏面に接着されている。
【００１９】
加熱分離プライマー１０は、加熱により膨張し、カウンター１とシンク３とを分離可能にするものである。また、加熱分離プライマー１０は、シンク３のフランジ８と密着してシール可能にするものでもある。このような加熱分離プライマー１０には、たとえば、１液型の変性シリコーン樹脂などの弾性系樹脂接着剤を用いることができ、この弾性系樹脂接着剤中に熱膨張性マイクロバルーンを分散させたものが例示される。弾性系樹脂接着剤を用いることにより、カウンター１とシンク３との接着部のシール性と接着耐久性が良好となり、キッチンカウンターの廃棄時には加熱によって柔軟性を確保することができる。熱膨張性マイクロバルーンには、１５０〜１８０℃で膨張するものが好適であり、たとえば、アクリル系樹脂殻の中に液化炭化水素を封入したものが例示される。弾性系樹脂接着剤への添加量は５〜１５重量％が適当であり、この添加範囲では、膨張温度に加熱することにより、加熱分離プライマー１０は、初期の２００〜３００％の体積まで膨張可能である。カウンター１とシンク３との分離を確実にする。加熱分離プライマー１０は、凹部９内に、たとえばビード状に塗布することができる。
【００２０】
なお、加熱分離プライマー１０は、カウンター１の裏面に配設される木質補強材６、７の接着にも使用することができる。加熱分離プライマー１０の適用により、廃棄時にキッチンカウンターを加熱することにより、異種材料である木質補強材６、７もカウンター１から分離し、解体することができる。
【００２１】
反応硬化型接着剤１１には、カウンター１とシンク３との接着に用いられていた２液型の熱硬化型ウレタン系接着剤などを従来通り使用することができる。
【００２２】
本実施形態では、カウンター１とシンク３とが反応硬化型接着剤１１により接着されているので、通常の使用環境において十分な接着性が得られ、シンク３が外れるおそれはない。また、カウンター１の裏面とシンク３の上端のフランジ８との間に加熱分離プライマー１０が介在するので、廃棄時にキッチンカウンターを加熱することにより加熱分離プライマー１０の体積が膨張し、カウンター１とシンク３とに分離解体することができる。さらに、加熱分離プライマー１０は、カウンター１の裏面に開口部２の外周縁に沿って形成された凹部９内に塗布されるので、フランジ８を重合させることにより、加熱分離プライマー１０は潰れ、凹部９内にとどまり、隙間が形成することなくフランジ８は加熱分離プライマー１０に密着する。このため、シール材を別途設けなくとも、カウンター１とシンク３との間をシールすることができる。使用時に水の浸入は起こらず、漏水が防止される。ゴミなどが溜まりにくくもなる。
【００２３】
さらにまた、凹部９内への加熱分離プライマー１０の塗布および加熱分離プライマー１０へのフランジ８の重合によって、シール性の付与と分離解体の実現とが一工程で可能となる。キッチンカウンターの作製工程が簡略化される。そして、加熱分離プライマー１０は凹部９内に塗布されるので、シンク３を取り付ける際に、加熱分離プライマー１０がカウンター１の開口部２側にはみ出ることはなく、良好な外観が得られる。
【００２４】
なお、フランジ８を重合させるときに潰れ、凹部９内にとどまる加熱分離プライマー１０は、図２および図３に示したように、凹部９内の全域に広がるのではなく、凹部９の外端よりやや内側までにとどめておくのが好ましい。こうすることによって、反応硬化型接着剤１１の一部が凹部９内に浸入することができ、カウンター１とシンク３との接着性がより十分となる。このように反応硬化型接着剤１１が一部凹部９内に浸入しても、凹部９内の大半に加熱分離プライマー１０が存在するので、廃棄時にキッチンカウンターを加熱することによりカウンター１とシンク３とは十分に分離する。
【００２５】
また、本実施形態では、図１および図３に示したように、シンク３は、カウンター１の裏面において開口部２の左右両側に近接して配設される木質補強材７にシンク固定金具１２によって連結している。シンク固定金具１２は、たとえば、断面略Ｌ字型の形状を有するものとすることができ、一端部をシンク３のフランジ８に接着、溶接などによって接続しておくことができる。他端部は、木質補強材７の裏面に当接させて配置し、ビス１３を用いて木質補強材７に接続することができる。このようなシンク固定金具１２を用いてシンク３と木質補強材７とを連結することにより、キッチンカウンターにおけるシンク３の取付強度が向上する。図３に示したように、シンク固定金具１２が接続される木質補強材７の部位は、シンク固定金具１２の厚さ分切り欠くことができる。
【００２６】
なお、シンク固定金具１２は、ビス１３によって木質補強材７に接続されるため、ビス１３を緩めることにより取り外し自在であり、廃棄時のカウンター１とシンク３との分離解体を阻害しない。
【００２７】
実際に、図１〜図３に示したキッチンカウンターを製造し、リサイクル性について評価した。
【００２８】
キッチンカウンターを１９５℃設定の電気式乾燥機内に投入し、乾燥機内が１８０℃になってから（この間およそ１５分）、１５分間放置した。そして、乾燥機内からキッチンカウンターを取り出し、常温になるまで放置した後、バール、ドライバー、ハンマーなどの治具を用いて分離解体を行った。カウンターとシンクとを分離することができ、所要時間は４．５分間であった。
【００２９】
比較のために、加熱分離プライマーに替えて変性シリコーン樹脂を使用したキッチンカウンターについて同様の評価を行ったところ、シンクの周りの人造大理石を取り除くことができず、カウンターとシンクとを分離することはできなかった。
【００３０】
また、図１〜図３に示したキッチンカウンターにおけるシンクの取付強度信頼性について評価した。結果は表１に示した通りである。
【００３１】
【表１】
0004844160.tif 000002
漏水、剥離などは生じず、取付強度信頼性の高いキッチンカウンターであることが確認された。
【図面の簡単な説明】
【００３２】
【図１】本願発明のキッチンカウンターの一実施形態を示した要部平面図である。
【図２】図１図中のＡ−Ａ断面図である。
【図３】図１図中のＢ−Ｂ断面図である。
【符号の説明】
【００３３】
１    カウンター
２    開口部
３    シンク
３ａ    壁部
４    前垂れ部
５    バックガード
６、７    木質補強材
８    フランジ
９    凹部
１０    加熱分離プライマー
１１    反応硬化型接着剤
１２    シンク固定金具
１３    ビス
【図１】
0004844160.tif 000003
【図２】
0004844160.tif 000004
【図３】
0004844160.tif 000005